【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
原画像の空間解像度を垂直方向と水平方向のいずれか一方、または、その両方向をそれぞれＺ倍（Ｚは実数）することにより変換する画像処理装置において、
統計的に注目画素位置の最も信頼度の高い傾きに基づいて、補間生成される統計斜補間画素の重みを設定する斜重み付け設定手段と、
前記斜重み付け設定手段により設定された前記統計斜補間画素の重みに基づいて、その他の補間により生成されたその他の補間画素と前記統計斜補間画素とを合成して合成補間画素を前記注目画素位置の画素として生成する合成補間手段と、
前記注目画素位置のエッジの強度を定量的に評価する情報を生成するエッジ強度情報生成手段と、
前記注目画素位置のテクスチャの強度を定量的に評価する情報を生成するテクスチャ強度情報生成手段と、
前記テクスチャ強度情報生成手段により生成されたテクスチャの強度情報に基づいて、前記注目画素位置の合成補間画素と、前記注目画素にテクスチャフィルタを掛けることにより生成される前記テクスチャ画素とを合成してテクスチャミックス画素を生成するテクスチャ適応混合手段と、
前記エッジ強度情報生成手段により生成されたエッジの強度情報に基づいて、前記注目画素にテクスチャフィルタを掛けることにより生成されるテクスチャミックス画素と、前記注目画素にフィルタをかけることにより生成されるエッジ画素とを合成してエッジミックス画素を前記注目画素位置の画素として生成するエッジ適応混合手段と
を備えることを特徴とする画像処理装置。
【請求項２】
前記注目画素位置に対応する複数の画素の傾き方向性分布と、前記信頼度に基づいて、最も信頼度の高い前記注目画素位置の傾きを選択する傾き選択手段と、
前記傾き選択手段により選択された傾きに基づいて、前記注目画素位置の統計斜補間画素を補間して生成する統計斜補間手段をさらに備え、
前記斜め重み付け設定手段は、前記統計斜補間手段により補間されて生成された、統計的に注目画素位置の最も信頼度の高い傾きに基づいて、補間生成される統計斜補間画素の重みを設定する
ことを特徴とする請求項１に記載の画像処理装置。
【請求項３】
前記その他の補間は、前記注目画素位置の上下、または、左右の画素を用いた補間により前記注目画素位置の補間画素を補間して生成する
ことを特徴とする請求項１に記載の画像処理装置。
【請求項４】
前記エッジの有無に基づいて、注目画素位置を含む、前記注目画素位置に対応する複数の画素位置のエッジの方向を判別する方向判別手段と、
前記方向判別手段により判別された前記注目画素に対応する複数の画素位置の前記エッジの方向に基づいて、前記注目画素位置に対応する複数の画素位置のエッジ方向補間画素を補間して生成するエッジ方向補間手段とをさらに備える
ことを特徴とする請求項１に記載の画像処理装置。
【請求項５】
前記エッジ方向補間手段により補間されて生成されたエッジ方向補間画素の信頼度を格付けする信頼度格付け手段をさらに備え、
前記エッジ強度情報生成手段は、前記信頼度格付け手段により格付けされた信頼度に基づいて、前記注目画素位置のエッジの強度を定量的に評価する情報を生成し、
前記テクスチャ強度情報生成手段は、前記信頼度格付け手段により格付けされた信頼度に基づいて、前記注目画素位置のテクスチャの強度を定量的に評価する情報を生成する
ことを特徴とする請求項４に記載の画像処理装置。
【請求項６】
前記信頼度格付け手段は、前記エッジ方向補間手段により補間されたエッジ方向補間画素の局所的構造の整合性を判定し、前記整合性の判定結果に基づいて、前記エッジ方向補間手段により補間されたエッジ方向補間画素の信頼度を格付けする
ことを特徴とする請求項４に記載の画像処理装置。
【請求項７】
前記合成補間手段は、前記斜め重み付け設定手段により設定された前記重みに対応する係数を用いて、前記その他の補間により生成された前記補間画素と傾き統計傾斜手段により生成された前記統計傾斜補間画素の線形和をとることにより合成して合成補間画素を前記注目画素として生成する
ことを特徴とする請求項１に記載の画像処理装置。
【請求項８】
原画像の空間解像度を垂直方向と水平方向のいずれか一方、または、その両方向をそれぞれＺ倍（Ｚは実数）することにより変換する画像処理装置の画像処理方法において、
統計的に注目画素位置の最も信頼度の高い傾きに基づいて、補間生成される統計斜補間画素の重みを設定する斜重み付け設定ステップと、
前記斜重み付け設定ステップの処理により設定された前記統計斜補間画素の重みに基づいて、その他の補間により生成されたその他の補間画素と前記統計斜補間画素とを合成して合成補間画素を前記注目画素位置の画素として生成する合成補間ステップと、
前記注目画素位置のエッジの強度を定量的に評価する情報を生成するエッジ強度情報生成ステップと、
前記注目画素位置のテクスチャの強度を定量的に評価する情報を生成するテクスチャ強度情報生成ステップと、
前記テクスチャ強度情報生成ステップの処理により生成されたテクスチャの強度情報に基づいて、前記注目画素位置の合成補間画素と、前記注目画素にテクスチャフィルタを掛けることにより生成される前記テクスチャ画素とを合成してテクスチャミックス画素を生成するテクスチャ適応混合ステップと、
前記エッジ強度情報生成ステップの処理により生成されたエッジの強度情報に基づいて、前記注目画素にテクスチャフィルタを掛けることにより生成されるテクスチャミックス画素と、前記注目画素にフィルタをかけることにより生成されるエッジ画素とを合成してエッジミックス画素を前記注目画素位置の画素として生成するエッジ適応混合ステップと
を含むことを特徴とする画像処理方法。
【請求項９】
原画像の空間解像度を垂直方向と水平方向のいずれか一方、または、その両方向をそれぞれＺ倍（Ｚは実数）することにより変換する画像処理装置を制御するコンピュータのプログラムであって、
統計的に注目画素位置の最も信頼度の高い傾きに基づいて、補間生成される統計斜補間画素の重みの設定を制御する斜重み付け設定制御ステップと、
前記斜重み付け設定制御ステップの処理により設定された前記統計斜補間画素の重みに基づいて、その他の補間により生成されたその他の補間画素と前記統計斜補間画素とを合成して合成補間画素の前記注目画素位置の画素としての生成を制御する合成補間制御ステップと、
前記注目画素位置のエッジの強度を定量的に評価する情報の生成を制御するエッジ強度情報生成制御ステップと、
前記注目画素位置のテクスチャの強度を定量的に評価する情報の生成を制御するテクスチャ強度情報生成制御ステップと、
前記テクスチャ強度情報生成制御ステップの処理により生成されたテクスチャの強度情報に基づいて、前記注目画素位置の合成補間画素と、前記注目画素にテクスチャフィルタを掛けることにより生成される前記テクスチャ画素との合成によるテクスチャミックス画素の生成を制御するテクスチャ適応混合制御ステップと、
前記エッジ強度情報生成制御ステップの処理により生成されたエッジの強度情報に基づいて、前記注目画素にテクスチャフィルタを掛けることにより生成されるテクスチャミックス画素と、前記注目画素にフィルタをかけることにより生成されるエッジ画素との合成によるエッジミックス画素の前記注目画素位置の画素としての生成を制御するエッジ適応混合制御ステップと
を含むことを特徴とするコンピュータが読み取り可能なプログラムが記録されている記録媒体。
【請求項１０】
原画像の空間解像度を垂直方向と水平方向のいずれか一方、または、その両方向をそれぞれＺ倍（Ｚは実数）することにより変換する画像処理装置を制御するコンピュータに実行させるプログラムであって、
統計的に注目画素位置の最も信頼度の高い傾きに基づいて、補間生成される統計斜補間画素の重みの設定を制御する斜重み付け設定制御ステップと、
前記斜重み付け設定制御ステップの処理により設定された前記統計斜補間画素の重みに基づいて、その他の補間により生成されたその他の補間画素と前記統計斜補間画素とを合成して合成補間画素の前記注目画素位置の画素としての生成を制御する合成補間制御ステップと、
前記注目画素位置のエッジの強度を定量的に評価する情報の生成を制御するエッジ強度情報生成制御ステップと、
前記注目画素位置のテクスチャの強度を定量的に評価する情報の生成を制御するテクスチャ強度情報生成制御ステップと、
前記テクスチャ強度情報生成制御ステップの処理により生成されたテクスチャの強度情報に基づいて、前記注目画素位置の合成補間画素と、前記注目画素にテクスチャフィルタを掛けることにより生成される前記テクスチャ画素との合成によるテクスチャミックス画素の生成を制御するテクスチャ適応混合制御ステップと、
前記エッジ強度情報生成制御ステップの処理により生成されたエッジの強度情報に基づいて、前記注目画素にテクスチャフィルタを掛けることにより生成されるテクスチャミックス画素と、前記注目画素にフィルタをかけることにより生成されるエッジ画素との合成によるエッジミックス画素の前記注目画素位置の画素としての生成を制御するエッジ適応混合制御ステップと
を含む処理をコンピュータに実行させることを特徴とするプログラム。
【手続補正２】
【補正対象書類名】明細書
【補正対象項目名】０００８
【補正方法】変更
【補正の内容】
【０００８】
本発明の画像処理装置は、統計的に注目画素位置の最も信頼度の高い傾きに基づいて、補間生成される統計斜補間画素の重みを設定する斜重み付け設定手段と、斜重み付け設定手段により設定された統計斜補間画素の重みに基づいて、その他の補間により生成されたその他の補間画素と統計斜補間画素とを合成して合成補間画素を注目画素位置の画素として生成する合成補間手段と、注目画素位置のエッジの強度を定量的に評価する情報を生成するエッジ強度情報生成手段と、注目画素位置のテクスチャの強度を定量的に評価する情報を生成するテクスチャ強度情報生成手段と、テクスチャ強度情報生成手段により生成されたテクスチャの強度情報に基づいて、注目画素位置の合成補間画素と、注目画素にテクスチャフィルタを掛けることにより生成されるテクスチャ画素とを合成してテクスチャミックス画素を生成するテクスチャ適応混合手段と、エッジ強度情報生成手段により生成されたエッジの強度情報に基づいて、注目画素にテクスチャフィルタを掛けることにより生成されるテクスチャミックス画素と、注目画素にフィルタをかけることにより生成されるエッジ画素とを合成してエッジミックス画素を注目画素位置の画素として生成するエッジ適応混合手段とを備えることを特徴とする。
【手続補正３】
【補正対象書類名】明細書
【補正対象項目名】０００９
【補正方法】変更
【補正の内容】
【０００９】
注目画素位置に対応する複数の画素の傾き方向性分布と、信頼度に基づいて、最も信頼度の高い注目画素位置の傾きを選択する傾き選択手段と、傾き選択手段により選択された傾きに基づいて、注目画素位置の統計斜補間画素を補間して生成する統計斜補間手段をさらに設けるようにさせることができ、斜め重み付け設定手段には、統計斜補間手段により補間されて生成された、統計的に注目画素位置の最も信頼度の高い傾きに基づいて、補間生成される統計斜補間画素の重みを設定させるようにすることができる。
【手続補正４】
【補正対象書類名】明細書
【補正対象項目名】００１４
【補正方法】変更
【補正の内容】
【００１４】
前記合成補間手段には、斜め重み付け設定手段により設定された重みに対応する係数を用いて、その他の補間により生成された補間画素と傾き統計傾斜手段により生成された統計傾斜補間画素の線形和をとることにより合成して合成補間画素を注目画素として生成させるようにすることができる。
【手続補正５】
【補正対象書類名】明細書
【補正対象項目名】００１５
【補正方法】変更
【補正の内容】
【００１５】
本発明の画像処理方法は、統計的に注目画素位置の最も信頼度の高い傾きに基づいて、補間生成される統計斜補間画素の重みを設定する斜重み付け設定ステップと、斜重み付け設定ステップの処理により設定された統計斜補間画素の重みに基づいて、その他の補間により生成されたその他の補間画素と統計斜補間画素とを合成して合成補間画素を注目画素位置の画素として生成する合成補間ステップと、注目画素位置のエッジの強度を定量的に評価する情報を生成するエッジ強度情報生成ステップと、注目画素位置のテクスチャの強度を定量的に評価する情報を生成するテクスチャ強度情報生成ステップと、テクスチャ強度情報生成ステップの処理により生成されたテクスチャの強度情報に基づいて、注目画素位置の合成補間画素と、注目画素にテクスチャフィルタを掛けることにより生成されるテクスチャ画素とを合成してテクスチャミックス画素を生成するテクスチャ適応混合ステップと、エッジ強度情報生成ステップの処理により生成されたエッジの強度情報に基づいて、注目画素にテクスチャフィルタを掛けることにより生成されるテクスチャミックス画素と、注目画素にフィルタをかけることにより生成されるエッジ画素とを合成してエッジミックス画素を注目画素位置の画素として生成するエッジ適応混合ステップとを含むことを特徴とする。
【手続補正６】
【補正対象書類名】明細書
【補正対象項目名】００１６
【補正方法】変更
【補正の内容】
【００１６】
本発明の記録媒体のプログラムは、統計的に注目画素位置の最も信頼度の高い傾きに基づいて、補間生成される統計斜補間画素の重みの設定を制御する斜重み付け設定制御ステップと、斜重み付け設定制御ステップの処理により設定された統計斜補間画素の重みに基づいて、その他の補間により生成されたその他の補間画素と統計斜補間画素とを合成して合成補間画素の注目画素位置の画素としての生成を制御する合成補間制御ステップと、注目画素位置のエッジの強度を定量的に評価する情報の生成を制御するエッジ強度情報生成制御ステップと、注目画素位置のテクスチャの強度を定量的に評価する情報の生成を制御するテクスチャ強度情報生成制御ステップと、テクスチャ強度情報生成制御ステップの処理により生成されたテクスチャの強度情報に基づいて、注目画素位置の合成補間画素と、注目画素にテクスチャフィルタを掛けることにより生成されるテクスチャ画素との合成によるテクスチャミックス画素の生成を制御するテクスチャ適応混合制御ステップと、エッジ強度情報生成制御ステップの処理により生成されたエッジの強度情報に基づいて、注目画素にテクスチャフィルタを掛けることにより生成されるテクスチャミックス画素と、注目画素にフィルタをかけることにより生成されるエッジ画素との合成によるエッジミックス画素の注目画素位置の画素としての生成を制御するエッジ適応混合制御ステップとを含むことを特徴とする。
【手続補正７】
【補正対象書類名】明細書
【補正対象項目名】００１７
【補正方法】変更
【補正の内容】
【００１７】
本発明のプログラムは、統計的に注目画素位置の最も信頼度の高い傾きに基づいて、補間生成される統計斜補間画素の重みの設定を制御する斜重み付け設定制御ステップと、斜重み付け設定制御ステップの処理により設定された統計斜補間画素の重みに基づいて、その他の補間により生成されたその他の補間画素と統計斜補間画素とを合成して合成補間画素の注目画素位置の画素としての生成を制御する合成補間制御ステップと、注目画素位置のエッジの強度を定量的に評価する情報の生成を制御するエッジ強度情報生成制御ステップと、注目画素位置のテクスチャの強度を定量的に評価する情報の生成を制御するテクスチャ強度情報生成制御ステップと、テクスチャ強度情報生成制御ステップの処理により生成されたテクスチャの強度情報に基づいて、注目画素位置の合成補間画素と、注目画素にテクスチャフィルタを掛けることにより生成されるテクスチャ画素との合成によるテクスチャミックス画素の生成を制御するテクスチャ適応混合制御ステップと、エッジ強度情報生成制御ステップの処理により生成されたエッジの強度情報に基づいて、注目画素にテクスチャフィルタを掛けることにより生成されるテクスチャミックス画素と、注目画素にフィルタをかけることにより生成されるエッジ画素との合成によるエッジミックス画素の注目画素位置の画素としての生成を制御するエッジ適応混合制御ステップとを含む処理をコンピュータに実行させることを特徴とする。
【手続補正８】
【補正対象書類名】明細書
【補正対象項目名】００１８
【補正方法】変更
【補正の内容】
【００１８】
本発明の画像処理装置および方法、並びにプログラムにおいては、統計的に注目画素位置の最も信頼度の高い傾きに基づいて、補間生成される統計斜補間画素の重みが設定され、設定された統計斜補間画素の重みに基づいて、その他の補間により生成されたその他の補間画素と統計斜補間画素とが合成されて合成補間画素が注目画素位置の画素として生成され、注目画素位置のエッジの強度を定量的に評価する情報が生成され、注目画素位置のテクスチャの強度を定量的に評価する情報が生成され、生成されたテクスチャの強度情報に基づいて、注目画素位置の合成補間画素と、注目画素にテクスチャフィルタを掛けることにより生成されるテクスチャ画素とが合成されてテクスチャミックス画素が生成され、生成されたエッジの強度情報に基づいて、注目画素にテクスチャフィルタを掛けることにより生成されるテクスチャミックス画素と、注目画素にフィルタをかけることにより生成されるエッジ画素とが合成されてエッジミックス画素が注目画素位置の画素として生成される。
【手続補正９】
【補正対象書類名】明細書
【補正対象項目名】００２３
【補正方法】変更
【補正の内容】
【００２３】
即ち、本発明の画像処理装置は、統計的に注目画素位置の最も信頼度の高い傾きに基づいて、補間生成される統計斜補間画素の重みを設定する斜重み付け設定手段（例えば、図２の斜重み付け部１２９）と、斜重み付け設定手段により設定された統計斜補間画素の重みに基づいて、その他の補間により生成されたその他の補間画素と統計斜補間画素とを合成して合成補間画素を注目画素位置の画素として生成する合成補間手段（例えば、図２の合成部１３０）と、注目画素位置のエッジの強度を定量的に評価する情報を生成するエッジ強度情報生成手段（例えば、図２のエッジ強度情報生成部１３２）と、注目画素位置のテクスチャの強度を定量的に評価する情報を生成するテクスチャ強度情報生成手段（例えば、図２のテクスチャ強度情報生成部１３３）と、テクスチャ強度情報生成手段により生成されたテクスチャの強度情報に基づいて、注目画素位置の合成補間画素と、注目画素にテクスチャフィルタを掛けることにより生成されるテクスチャ画素とを合成してテクスチャミックス画素を生成するテクスチャ適応混合手段（例えば、図３のテクスチャ適応混合処理部１９６）と、エッジ強度情報生成手段により生成されたエッジの強度情報に基づいて、注目画素にテクスチャフィルタを掛けることにより生成されるテクスチャミックス画素と、注目画素にフィルタをかけることにより生成されるエッジ画素とを合成してエッジミックス画素を注目画素位置の画素として生成するエッジ適応混合手段（例えば、図３のエッジ適応混合処理部１９７）とを備えることを特徴とする。
【手続補正１０】
【補正対象書類名】明細書
【補正対象項目名】００２４
【補正方法】変更
【補正の内容】
【００２４】
本発明の画像処理方法は、統計的に注目画素位置の最も信頼度の高い傾きに基づいて、補間生成される統計斜補間画素の重みを設定する斜重み付け設定ステップ（例えば、図６のフローチャートにおけるステップＳ６７の処理）と、斜重み付け設定ステップの処理により設定された統計斜補間画素の重みに基づいて、その他の補間により生成されたその他の補間画素と統計斜補間画素とを合成して合成補間画素を注目画素位置の画素として生成する合成補間ステップ（例えば、図６のフローチャートにおけるステップＳ６８の処理）と、注目画素位置のエッジの強度を定量的に評価する情報を生成するエッジ強度情報生成ステップ（例えば、図６のフローチャートにおけるステップＳ６３の処理）と、注目画素位置のテクスチャの強度を定量的に評価する情報を生成するテクスチャ強度情報生成ステップ（例えば、図６のフローチャートにおけるステップＳ６４の処理）と、テクスチャ強度情報生成ステップの処理により生成されたテクスチャの強度情報に基づいて、注目画素位置の合成補間画素と、注目画素にテクスチャフィルタを掛けることにより生成されるテクスチャ画素とを合成してテクスチャミックス画素を生成するテクスチャ適応混合ステップ（例えば、図２７のフローチャートにおけるステップＳ２４７の処理）と、エッジ強度情報生成ステップの処理により生成されたエッジの強度情報に基づいて、注目画素にテクスチャフィルタを掛けることにより生成されるテクスチャミックス画素と、注目画素にフィルタをかけることにより生成されるエッジ画素とを合成してエッジミックス画素を注目画素位置の画素として生成するエッジ適応混合ステップ（例えば、図２７のフローチャートにおけるステップＳ２４８の処理）とを含むことを特徴とする。
【手続補正１１】
【補正対象書類名】明細書
【補正対象項目名】００２６
【補正方法】変更
【補正の内容】
【００２６】
図１は、本発明を適用した画像処理装置の一実施の形態の構成を表している。この画像処理装置においては、画像入力部１が処理対象とされる画像データを、記録媒体から読み取ったり、ネットワークを介して伝送されてくるものを受信して入力し、画像処理部２に出力する。画像処理部２は、画像入力部１より入力された画像の解像度を変更し（拡大または縮小し）、画像出力部３に出力する。画像出力部３は、画像処理部２より供給された画像データを表示部に表示させたり、記録媒体に記録するか、あるいは、伝送媒体を介して、他の装置に伝送する。
【手続補正１２】
【補正対象書類名】明細書
【補正対象項目名】００３６
【補正方法】変更
【補正の内容】
【００３６】
エッジ強度情報生成部１３２は、方向性分布に基づいて、エッジの強度を定量的に評価し、その結果を１次元垂直イメージリフレッシュ部１７に出力する。
【手続補正１３】
【補正対象書類名】明細書
【補正対象項目名】００３７
【補正方法】変更
【補正の内容】
【００３７】
テクスチャ強度情報生成部１３３は、方向性分布に基づいて、テクスチャの強度を定量的に評価し、その結果を１次元垂直イメージリフレッシュ部１７に出力する。
【手続補正１４】
【補正対象書類名】明細書
【補正対象項目名】００３８
【補正方法】変更
【補正の内容】
【００３８】
線形補間部１２７は、入力された画像のうち、補間しようとする画素に対して線形補間などの従来補間を行うことにより画素を生成し合成部１３０に出力する。統計斜補間部１２８は、傾き選択部１２６より選択された傾を含む各方向に存在する画素間の平均画素値の傾き分布による重み付け平均画素値を生成し、合成部１３０に出力する。合成部１３０は、斜重み付け部１２９より入力されてくる斜め方向の重み付けの情報に基づいて、線形補間により生成された補間画素の画素値と、統計斜補間部１２８により統計斜補間により生成された補間画素の画素値を、それぞれに重み付けして加算する（重みを係数として線形和を求める）ことにより合成して補間画素として出力する。
【手続補正１５】
【補正対象書類名】明細書
【補正対象項目名】００４７
【補正方法】変更
【補正の内容】
【００４７】
エッジ適応混合処理部１９７は、判別比較部１９４により出力された画素の値と、テクスチャ適応混合処理部１９６により出力された画素の値とを、エッジ強度情報生成部１３２に供給された制御信号を用いて、重み付けして合成し、バッファ１７ａに出力する。出力部１９５は、バッファ１７ａに記憶された画像信号を適宜読み出して出力する。
【手続補正１６】
【補正対象書類名】明細書
【補正対象項目名】００５３
【補正方法】変更
【補正の内容】
【００５３】
ステップＳ２において、変数ｚの値が１以上であると判定された場合、ステップＳ６に進み、画像処理部２は、ズームアップ処理を実行する。このズーム処理の詳細は、図５のフローチャートを参照して後述する。
【手続補正１７】
【補正対象書類名】明細書
【補正対象項目名】００５４
【補正方法】変更
【補正の内容】
【００５４】
ステップＳ６において、ズームアップ処理が完了した後、ステップＳ７において、画像処理部２は、変数ｚの値を２で除算する。その後、処理はステップＳ２に戻り、それ以降の処理が繰り返し実行される。
【手続補正１８】
【補正対象書類名】明細書
【補正対象項目名】００５５
【補正方法】変更
【補正の内容】
【００５５】
すなわち、変数ｚの値が１より大きい場合には、ステップＳ６の処理が変数ｚの値が１より小さくなるまで所定回数繰り返し行われる。そして、変数ｚの値が１より小さくなった場合には、変数ｚの値が０と１の間の値であるとき、ステップＳ４で標準的な縮小処理が行われる。この標準的な縮小処理は、例えば、線形補間処理やバイキュービックフィルタを用いて実現することができる。尚、以降においては、従来の標準的な補間処理として線形補間処理を例に説明を進めるが、標準的な補間処理は、それ以外の方法であってもよいことは言うまでもない。
【手続補正１９】
【補正対象書類名】明細書
【補正対象項目名】００６６
【補正方法】変更
【補正の内容】
【００６６】
ステップＳ５４において、方向判別部１２３が、アクティブ領域検出部１２２の判定結果に基づいて、垂直方向mid_dir（後述する図１８におけるＬ４の方向）を示す方向情報を方向補間部１３１、信頼度格付部１２４、および、方向性分布生成部１２５に出力する。また、信頼度格付部１２４は、この補間画素について信頼度が未確定であることを示す２を方向性分布生成部１２５に出力する。
【手続補正２０】
【補正対象書類名】明細書
【補正対象項目名】００７６
【補正方法】変更
【補正の内容】
【００７６】
ステップＳ１２２において、注目画素を中心にした局所的なエッジの方向に直交した方向である(max_dir)方向選択処理の開始に当たり、方向判別部１２３は、比較対象候補方向(dir)を垂直方向（mid_dir）に対して左上がりの方向のうちの（mid_dir−N/2）に位置する方向に初期化し、その処理は、ステップＳ１２３に進む。すなわち、方向判別部１２３は、比較対象候補方向(dir)を後述する図１８の方向Ｌ０に対応する方向に初期化する。
【手続補正２１】
【補正対象書類名】明細書
【補正対象項目名】００８５
【補正方法】変更
【補正の内容】
【００８５】
ステップＳ１３０において、方向判別部１２３は、比較対象候補方向(dir)が垂直方向（mid_dir）であるか否かを判定する。例えば、比較対象候補方向(dir)が垂直方向（mid_dir）ではないと判定された場合、ステップＳ１２８に戻り、方向判別部１２３は、変数dirを１インクリメントし、比較対象候補方向(dir)から次の右に隣り合う比較対象候補方向(dir+1)に変化させる。すなわち、垂直方向は、比較対象候補方向として扱わない。
【手続補正２２】
【補正対象書類名】明細書
【補正対象項目名】００８７
【補正方法】変更
【補正の内容】
【００８７】
ステップＳ１３１において、方向判別部１２３は、垂直方向(mid_dir)が、注目画素を中心にした局所的なエッジの方向に直交した方向(max_dir)よりも大きく、かつ、比較対象候補方向(dir)より小さいか否かを判定する。例えば、ステップＳ１３１において、垂直方向(mid_dir)が注目画素を中心にした局所的なエッジの方向に直交した方向(max_dir)よりも大きく、かつ、比較対象候補方向(dir)より小さいと判定された場合、ステップＳ１３２に進み、方向判別部１２３は、垂直方向(mid_dir)を選択し、その２つの画素が対応する対角線の方向が注目画素を中心にした局所的なエッジの方向に直交した方向(max_dir)と見なす。
【手続補正２３】
【補正対象書類名】明細書
【補正対象項目名】００８９
【補正方法】変更
【補正の内容】
【００８９】
垂直方向(mid_dir)が注目画素を中心にした局所的なエッジの方向に直交した方向(max_dir)以下であるか、または、比較対象候補方向(dir)以上であると判定された場合、ステップＳ１２６において、方向判別部１２３は、比較対象候補方向(dir)を注目画素を中心にした局所的なエッジの方向に直交した方向(max_dir)として選択し、その２つの画素が対応する対角線の方向が注目画素を中心にした局所的なエッジの方向に直交した方向(max_dir)と見なす。
【手続補正２４】
【補正対象書類名】明細書
【補正対象項目名】００９３
【補正方法】変更
【補正の内容】
【００９３】
ステップＳ８２において、(left_dir)方向選択処理が実行される。(left_dir)方向とは、注目画素を中心として対角線上に存在する二つの画素を結んだ直線の傾きのうち、左上がりまたは垂直な方向のことを指す。すなわち、注目画素を中心として、対角線方向に存在する二つの画素を結んだ直線の方向が、左上がり、または垂直な方向のうち、上記の式（６）で計算された最も低いエネルギＥ（dir）（dir＝mid_dir −１…０）の値を持つ方向が(left_dir)方向である。
【手続補正２５】
【補正対象書類名】明細書
【補正対象項目名】０１０３
【補正方法】変更
【補正の内容】
【０１０３】
ステップＳ１５８において、方向判別部１２３は、変数dirが０以下であるか否か、すなわち、比較対象候補方向(dir)が垂直方向（mid_dir）の左側にある方向のうち（０）に位置する方向よりも左側であるか否かを判定する。dirが０(ゼロ)より小さい場合、すなわち、比較対象候補方向(dir)が、後述する図１８における方向Ｌ０よりも左側である場合、方向判別部１２３は、注目画素を中心にした左側の局所的なエッジの方向(left_dir)の選択処理を終了する。一方、ステップＳ１５８において、比較対象候補方向(dir)が0(ゼロ)以上である場合、すなわち、図１８における方向Ｌ０乃至Ｌ４である場合、その処理は、ステップＳ１５４に戻る。すなわち、比較対象候補方向(dir)が方向Ｌ０からＬ４の範囲で、ステップＳ１５４乃至Ｓ１５８の処理が繰り返され、全ての処理が終了したところで、エネルギE_minに設定されているエネルギが最低エネルギとされ、そのときの方向がleft_dir方向として選択されることになる。
【手続補正２６】
【補正対象書類名】明細書
【補正対象項目名】０１０５
【補正方法】変更
【補正の内容】
【０１０５】
ステップＳ８２において、left_dir方向選択処理が終了すると、ステップＳ８３において、(right_dir)方向選択処理が実行される。(right_dir)方向とは、注目画素を中心として対角線上に存在する二つの画素を結んだ直線の傾きのうち、右上がりまたは垂直な方向のことを指す。すなわち、注目画素を中心として、対角線方向に存在する二つの画素を結んだ直線の方向が、右上がり、または垂直な方向のうち、上記の式（６）で計算された最も低いエネルギＥ（dir）（dir＝mid_dir+1…２Ｎ−２）の値を持つ方向が方向(right_dir)である。
【手続補正２７】
【補正対象書類名】明細書
【補正対象項目名】０１１５
【補正方法】変更
【補正の内容】
【０１１５】
ステップＳ１８８において、方向判別部１２３は、変数dirが０以下であるか否か、すなわち、比較対象候補方向(dir)が垂直方向（mid_dir）の右側にある方向のうち（２N−２）に位置する方向よりも右側であるか否かを判定する。dirは２N−２より大きい場合、すなわち、比較対象候補方向(dir)が、後述する図１８における方向Ｌ８よりも右側である場合、方向判別部１２３は、注目画素を中心にした右側の局所的なエッジの方向(right_dir)の選択処理を終了する。dirが２N−２以下である場合、すなわち、図１８における方向Ｌ４乃至Ｌ８である場合、その処理は、ステップＳ１８４に戻る。すなわち、比較対象候補方向(dir)が方向Ｌ４からＬ８の範囲で、ステップＳ１８４乃至Ｓ１８８の処理が繰り返され、全ての処理が終了したところで、エネルギE_minに設定されているエネルギが最低エネルギとされ、そのときの方向がright_dir方向として選択されることになる。
【手続補正２８】
【補正対象書類名】明細書
【補正対象項目名】０１１７
【補正方法】変更
【補正の内容】
【０１１７】
ステップＳ８４において、方向判別部１２３は、注目画素を中心に、左側の局所的なエッジの方向(left_dir)と局所的なエッジの方向に直交した方向(max_dir)の角度の絶対値、｜角度(max_dir,left_dir)｜が、右側の局所的なエッジの方向(right_dir)と局所的なエッジの方向に直交した方向(max_dir)の角度の絶対値｜角度(max_dir,right_dir)｜よりも大きいか否かを判定する。
【手続補正２９】
【補正対象書類名】明細書
【補正対象項目名】０１１８
【補正方法】変更
【補正の内容】
【０１１８】
例えば、ステップＳ８４において、｜角度(max_dir,left_dir)｜が｜角度(max_dir,right_dir)｜（この角度は、絶対値であるので０°乃至９０°の範囲である）より大きいと判定された場合、ステップＳ８５において、方向判別部１２３は、注目画素を中心にした左側の局所的なエッジの方向(left_dir)の２つの画素が対応する対角線の方向を局所的なエッジの方向であるとみなし、選択方向（sel_dir）を方向（left_dir）として、その処理は、ステップＳ９７（図１０）に進む。
【手続補正３０】
【補正対象書類名】明細書
【補正対象項目名】０１３７
【補正方法】変更
【補正の内容】
【０１３７】
ステップＳ９７において、例えば、選択方向sel_dirの変数dirが偶数である場合、すなわち、sel_dir＝２nの場合（例えば、後述する図１８の方向Ｌ０，Ｌ２，Ｌ４，Ｌ６，Ｌ８の場合）、方向判別部１２３は、sel_dirが実在方向であると判定し、方向判別処理を終了し、局所的なエッジの方向sel_dir（後述する図１８におけるＬsel_dirの方向）を示す方向情報を方向補間部１３１、信頼度格付部１２４、および、方向性分布生成部１２５に出力し、その処理は、図６のステップＳ５６の処理に進む。
【手続補正３１】
【補正対象書類名】明細書
【補正対象項目名】０１４３
【補正方法】変更
【補正の内容】
【０１４３】
一方、ステップＳ９９において、エネルギdiff（sel_dir＋１）がエネルギdiff（sel_dir−１）以上である場合、方向判別部１２３は、バーチャル方向を実在方向に代理すること（バーチャル方向を実在方向に置き換えて設定すること）は不可能であるとみなし、バーチャル方向を選択方向として、方向判別処理を終了して、図６のフローチャートにおけるステップＳ５６に進む。このとき、方向判別部１２３は、局所的なエッジの方向sel_dir（後述する図１８におけるＬsel_dirの方向）を示す方向情報を方向補間部１３１、信頼度格付部１２４、および、方向性分布生成部１２５に出力する。
【手続補正３２】
【補正対象書類名】明細書
【補正対象項目名】０１４５
【補正方法】変更
【補正の内容】
【０１４５】
ステップＳ１００において、例えば、sel_dirがmid_dir−１に一致すると判定された場合、方向判別部１２３は、バーチャル方向を実在方向に代理すること（バーチャル方向を実在方向に置き換えて設定すること）は不可能であるとみなし、バーチャル方向を選択方向として、方向判別処理を終了して、図６のフローチャートにおけるステップＳ５６に進む。このとき、方向判別部１２３は、局所的なエッジの方向sel_dir（後述する図１８におけるＬsel_dirの方向）を示す方向情報を方向補間部１３１、信頼度格付部１２４、および、方向性分布生成部１２５に出力する。
【手続補正３３】
【補正対象書類名】明細書
【補正対象項目名】０１５２
【補正方法】変更
【補正の内容】
【０１５２】
一方、ステップＳ１０３において、例えば、diff（sel_dir−１）がdiff（sel_dir＋１）以下である場合、すなわち、等しい場合、バーチャル方向を実在方向に代理すること（バーチャル方向を実在方向に置き換えて設定すること）は不可能であるとみなし、バーチャル方向を選択方向として、方向判別処理を終了して、図６のフローチャートにおけるステップＳ５６に進む。このとき、方向判別部１２３は、局所的なエッジの方向sel_dir（後述する図１８におけるＬsel_dirの方向）を示す方向情報を方向補間部１３１、信頼度格付部１２４、および、方向性分布生成部１２５に出力する。
【手続補正３４】
【補正対象書類名】明細書
【補正対象項目名】０１５８
【補正方法】変更
【補正の内容】
【０１５８】
尚、図１４において、実線の丸で記されているのが実在画素であり、点線の丸で記されているのが実在画素より補間生成された画素であるバーチャル画素を示している。さらに、実在画素間を結ぶ矢印は実線が示されており、バーチャル画素間を結ぶ矢印は点線で示されている。
【手続補正３５】
【補正対象書類名】明細書
【補正対象項目名】０１５９
【補正方法】変更
【補正の内容】
【０１５９】
ステップＳ８１におけるmax_dir方向選択処理により、注目画素を中心に、右側と左側に、上記の式（６）で計算されたエネルギＥ（dir）（dir＝2,3,5,6）の値のうち、最も高い値（この例の場合、画素Ｙ0,1と画素Ｙ1,3を結ぶL2方向）が選択され、その２つの画素が対応する対角線の方向が注目画素を中心にした局所的なエッジの方向に直交した方向(max_dir)が選択方向として選択される。
【手続補正３６】
【補正対象書類名】明細書
【補正対象項目名】０１６０
【補正方法】変更
【補正の内容】
【０１６０】
また、ステップＳ８２におけるleft_dir方向選択処理により、注目画素を中心に、左側に、上記の式（６）で計算されたエネルギＥ（dir）（dir＝0,1,2,3,4）の値のうち、最も小さい値（この例の場合、画素Ｙ0,2と画素Ｙ1,2を結ぶL4方向）が注目画素を中心にした左側の局所的なエッジの方向(left_dir)が選択方向として選択される。
【手続補正３７】
【補正対象書類名】明細書
【補正対象項目名】０１６２
【補正方法】変更
【補正の内容】
【０１６２】
ステップＳ８４において、注目画素を中心に、右側の局所的なエッジの方向L6(right_dir=6)と局所的なエッジの方向に直交した方向L2(max_dir=2)の角度の絶対値｜角度(max_dir,right_dir)｜が、左側の局所的なエッジの方向L4(left_dir=4)と局所的なエッジの方向に直交した方向L2(max_dir=2)の角度の絶対値｜角度(max_dir,left_dir)｜より小さいか否かが判定される。
【手続補正３８】
【補正対象書類名】明細書
【補正対象項目名】０１６８
【補正方法】変更
【補正の内容】
【０１６８】
結果として、その処理は、図６のステップＳ５６に進み、方向判別部１２３が、局所的なエッジの方向L6を示す方向情報を方向補間部１３１、信頼度格付部１２４、および、方向性分布生成部１２５に出力する。
【手続補正３９】
【補正対象書類名】明細書
【補正対象項目名】０１８５
【補正方法】変更
【補正の内容】
【０１８５】
ステップＳ６１において、注目画素に対する注目領域の全ての補間画素が補間されたか否かが判定され、注目領域の全ての補間画素が補間されていないと判定された場合、その処理は、ステップＳ５１に戻り、全ての補間画素が補間されるまで、ステップＳ５１乃至Ｓ６１の処理が繰り返され、ステップＳ６１において、全ての補間画素が補間されたと判定された場合、その処理は、ステップＳ６２に進む。ここで、注目画素に対する注目領域とは、例えば、図１５で示すＰ（画素数）×Ｍ（ライン）の範囲の補間画素である。尚、１５においては、白丸が注目画素（補間画素）を、黒丸が補間画素を、斜め線に塗りつぶされた丸を原画像の画素（元々存在する画素）として示している。ステップＳ５１において、全ての補間画素が補間されるということは、図中の黒丸で示される画素が全て補間されたことを示し、その処理は、ステップＳ６２に進む。
【手続補正４０】
【補正対象書類名】明細書
【補正対象項目名】０１８９
【補正方法】変更
【補正の内容】
【０１８９】
尚、図１５においては、図中５画素×３ラインの補間画素が表示されているので、図１７の左部には、これに対応する１５個の補間画素の配置が表示されている。また、図１７の中央部には、各補間画素の補間方向が示されている。この補間画素の方向は、図１８で示すように、注目画素について点対象となるように設定された方向に対応する番号であり、実在方向Ｌ０は、上段左端の実在画素と下段右端の実在画素を結ぶ方向であり、バーチャル方向Ｌ１は、上段左端から２番目のバーチャル画素と下段右端から２番目のバーチャル画素を結ぶ垂直な直線上の方向であり、実在方向Ｌ２は、上段左から３番目の実在画素と下段右から３番目の実在画素を結ぶ直線上の方向であり、バーチャル方向Ｌ３は、上段左から４番目のバーチャル画素と下段右から４番目のバーチャル画素を結ぶ直線上の方向であり、実在方向Ｌ４は、真上の実在画素と真下の実在画素を結ぶ直線上の方向であり、バーチャル方向Ｌ５は、上段右から４番目のバーチャル画素と下段左から４番目のバーチャル画素を結ぶ直線上の方向であり、実在方向Ｌ６は、上段右から３番目の実在画素と下段左から３番目の実在画素を結ぶ直線上の方向であり、バーチャル方向Ｌ７は、上段右端から２番目のバーチャル画素と下段左端から２番目のバーチャル画素を結ぶ直線上の方向であり、実在方向Ｌ８は、上段右端の実在画素と下段左端の実在画素を結ぶ直線上の方向である。
【手続補正４１】
【補正対象書類名】明細書
【補正対象項目名】０１９１
【補正方法】変更
【補正の内容】
【０１９１】
すなわち、図１７によれば、補間画素の補間方向は、上段の左から４，４，８，８，８であり、中段の左から８，７，８，７，８であり、下段の左から８，８，８，４，４であることが示されている。また、信頼度は、上段の左から△，△，○，○，○であり、中段の左から、○，○，×，○，○であり、下段の左から○，○，○，△，△である。
【手続補正４２】
【補正対象書類名】明細書
【補正対象項目名】０１９９
【補正方法】変更
【補正の内容】
【０１９９】
上述のBalance関数の式は、注目画素を中心に方向性の分布情報を解析したひとつの傾きを表す関数の実装の例であり、その他の関数であってもよい。
【手続補正４３】
【補正対象書類名】明細書
【補正対象項目名】０２０８
【補正方法】削除
【補正の内容】
【手続補正４４】
【補正対象書類名】明細書
【補正対象項目名】０２１８
【補正方法】変更
【補正の内容】
【０２１８】
Population_LIはある方向LIに対して、信頼度として１が報告された画素の数を示す値である。Total_populationは、各方向LＩ（Ｉ＝０,…2N-2）に対して、信頼度として１が報告された画素の数を足し合わせた総数を示す値である。
【手続補正４５】
【補正対象書類名】明細書
【補正対象項目名】０２２０
【補正方法】変更
【補正の内容】
【０２２０】
上述のweight_texture関数の式は、注目画素を中心に方向性の分布情報を解析したひとつのテクスチャ強度情報を現す関数の例であり、その他の関数を設定するようにしても良い。例えば、注目画素に対する注目領域が図１５で示すＰ（画素数）×Ｍ（ライン）の範囲のである場合、その中の各画素の方向に対して、隣り合う画素の方向との比較を行い、方向が同一の場合、方向性が揃っているため、テクスチャ強度が低いと評価し、逆に、方向が違う場合、方向性が揃っていないため、テクスチャ強度が高いと評価する関数も考えられる。
【手続補正４６】
【補正対象書類名】明細書
【補正対象項目名】０２２２
【補正方法】変更
【補正の内容】
【０２２２】
例えば、ステップＳ２１４において、Balance(X,Y)が正の値であると判定された場合、統計斜補間部１２８は、I=（N+1）から2N−２の範囲で傾きの分布を計算する。
【手続補正４７】
【補正対象書類名】明細書
【補正対象項目名】０２２４
【補正方法】変更
【補正の内容】
【０２２４】
統計斜補間画素（X,Y）＝｛１÷ΣI=N+1,... 2N-2 Population_LI｝
×｛ΣI=N+1,... 2N-2 Population_LI×傾斜平均画素（LI）｝
・・・（１４）
このとき、統計斜補間部１２８は、I=0からN−２の範囲で傾きの分布を計算する。
【手続補正４８】
【補正対象書類名】明細書
【補正対象項目名】０２２７
【補正方法】変更
【補正の内容】
【０２２７】
すなわち、図１８の場合、傾きＬ５、Ｌ６、Ｌ７、Ｌ８が選択されるので、図１８のように注目画素が存在する場合、統計斜補間部１２８は、バーチャル方向Ｌ５は、上段のライン上にある右から４番目のバーチャル画素と下段左から４番目のバーチャル画素を結ぶ直線上の方向であり、実在方向Ｌ６は、上段右から３番目の実在画素と下段左から３番目の実在画素を結ぶ直線上の方向であり、バーチャル方向Ｌ７は、上段右端から２番目のバーチャル画素と下段左端から２番目のバーチャル画素を結ぶ直線上の方向であり、実在方向Ｌ８は、上段右端の実在画素と下段左端の実在画素を結ぶ直線上の方向であり、各方向LIに存在する画素間の平均画素値、傾斜平均画素（LI）、の傾き分布による重み付け平均画素値（統計斜補間画素）を以下の式（１６）乃至式（２０）のように計算する。
【手続補正４９】
【補正対象書類名】明細書
【補正対象項目名】０２３５
【補正方法】変更
【補正の内容】
【０２３５】
合成補間画素(X,Y)
=（1−weight_slant(X,Y)）×（線形補間画素（X,Y））
+weight_slant(X,Y)×（統計斜補間画素（X,Y））
・・・（２２）
【手続補正５０】
【補正対象書類名】明細書
【補正対象項目名】０２４４
【補正方法】変更
【補正の内容】
【０２４４】
ステップＳ２４３において、テクスチャフィルタ処理部１９１は、図２９に示す５画素エリアの画素ｃ，ｈ，ｍ，ｒ，ｗに、図２９に示すような１次元テクスチャフィルタ処理を施す。すなわち、１次元テクスチャフィルタは、（1/４−αT/2，0,αT＋1/2，0,1/4−αT/2）（0.5<αT）といったものであり、例えば、テクスチャフィルタが上述のタイプＡの場合、以下の式（２３）に示すような演算により、テクスチャフィルタ処理された画素値テクスチャ画素が求められる。
【手続補正５１】
【補正対象書類名】明細書
【補正対象項目名】０２６０
【補正方法】変更
【補正の内容】
【０２６０】
すなわち、図２９に示すように、ステップＳ２４４の処理で求められた最大値（ｃ，ｈ，ｍ，ｒ，ｗ）が、画素，ｃ，ｈ，ｍ，ｒ，ｗの局所的な範囲の最大値とみなされ、ステップＳ２４４の処理でエッジフィルタ処理して求められた画素値が、その最大値以下のときにそのまま保存され、最大値（ｃ，ｈ，ｍ，ｒ，ｗ）より大きいときは画素値が最大値に置き換えられる（片方クリッピングされる）。
【手続補正５２】
【補正対象書類名】明細書
【補正対象項目名】０２６７
【補正方法】変更
【補正の内容】
【０２６７】
ステップＳ２４７において、テクスチャ適応混合処理部１９６は、以下の式（２７）の演算により、垂直アップサンプリング処理部１１より入力された補間画素とテクスチャフィルタ処理部１９１より入力された画素値テクスチャ画素を重み付けして合成し、テクスチャミックス画素として出力する。
【手続補正５３】
【補正対象書類名】明細書
【補正対象項目名】０２６８
【補正方法】変更
【補正の内容】
【０２６８】
テクスチャミックス画素(X,Y)
=（1−weight_texture）×（補間画素（X,Y））
+weight_texture×（テクスチャ画素（X,Y））
・・・（２７）
【手続補正５４】
【補正対象書類名】明細書
【補正対象項目名】０２７１
【補正方法】変更
【補正の内容】
【０２７１】
エッジミックス画素(X,Y)
=（1−weight_edge）×（テクスチャミックス画素（X,Y））
+weight_edge×（エッジ画素（X,Y））
・・・（２８）
【手続補正５５】
【補正対象書類名】明細書
【補正対象項目名】０２７５
【補正方法】変更
【補正の内容】
【０２７５】
ステップＳ２４２において、垂直最大値最小値検出部１９２は、未処理画素を含めた上下3個の画素の画素値を比較して最大値と最小値を求める。すなわち、例えば、図２８に示すように、未処理画素が画素ｍであった場合、それを含めた上下の画素ｈ，ｍ， r（図２８中の実線で囲まれた3画素エリア）の各画素値を読出し、図３１に示すように、その内の最大値（ｈ，ｍ，ｒ）と最小値（ｈ，ｍ，ｒ）を求める。
【手続補正５６】
【補正対象書類名】明細書
【補正対象項目名】０２７６
【補正方法】変更
【補正の内容】
【０２７６】
ステップＳ２４３において、テクスチャフィルタ処理部１９１は、図３１に示す3画素エリアの画素ｈ，ｍ，ｒに、図３１に示すような１次元テクスチャフィルタ処理を施す。すなわち、１次元テクスチャフィルタは、（1/４−αT/2，αT＋1/2，1/4−αT/2）（0.5<αT）といったものであり、例えば、テクスチャフィルタが上述のタイプBの場合、以下の式（２９）に示すような演算により、テクスチャフィルタ処理された画素値テクスチャ画素が求められる。
【手続補正５７】
【補正対象書類名】明細書
【補正対象項目名】０２８３
【補正方法】変更
【補正の内容】
【０２８３】
ステップＳ２４５において、エッジフィルタ処理した画素値エッジ画素が最大値（ｈ，ｍ，ｒ）以上ではないと判定した場合、ステップＳ２５０において、判別比較部１９４は、エッジフィルタ処理した画素値エッジ画素と最小値（ｈ，ｍ，ｒ）を比較し、エッジフィルタ処理した画素値エッジ画素が最小値（ｈ，ｍ，ｒ）以下であるか否かを判定し、エッジフィルタ処理した画素値エッジ画素が最小値（ｈ，ｍ，ｒ）以下であると判定した場合、ステップＳ２５１において、判別比較部１９４は、画素値エッジ画素を最小値（ｈ，ｍ，ｒ）に置き換え、ステップＳ２４７に進む。
【手続補正５８】
【補正対象書類名】明細書
【補正対象項目名】０２９５
【補正方法】変更
【補正の内容】
【０２９５】
ここで、図５の処理の説明に戻る。
【手続補正５９】
【補正対象書類名】明細書
【補正対象項目名】０３００
【補正方法】変更
【補正の内容】
【０３００】
図３２は、従来の処理により生成された画像であり、図３３は、本発明を適用して生成された画像である。図中の中央に水平方向に同心円状の模様の中心部が３つ配置されている。それぞれの中心位置を通り、かつ、図中の水平方向または垂直方向に４５°を成す角で直線を引いたときの、直線の交点付近の画像に着目すると、本発明を適用した画像においては、模様に破綻が発生しておらず、同心円状の模様が忠実に表現されていることがわかる。すなわち、本発明を適用して画像を生成することで、鮮明な画像が表現できることが示されていると言える。
【手続補正６０】
【補正対象書類名】明細書
【補正対象項目名】０３１４
【補正方法】変更
【補正の内容】
【０３１４】
【図１】本発明を適用した画像処理装置の構成例を示すブロック図である。
【図２】図1の垂直アップサンプリング処理部の構成例を示すブロック図である。
【図３】図１の１次元垂直イメージリフレッシュ処理部の構成例を示すブロック図である。
【図４】図１の画像処理装置のズーム処理を説明するフローチャートである。
【図５】図４のステップＳ6におけるズームアップ処理を説明するフローチャートである。
【図６】図５のステップＳ２１の処理における垂直アップサンプリング処理を説明するフローチャートである。
【図７】図６のステップＳ５１の処理における原画像の注目領域抽出処理を説明する図である。
【図８】図６のステップＳ５２，Ｓ５３の処理における局所エネルギの計算を説明する図である。
【図９】図６のステップＳ５５における方向判別処理を説明するフローチャートである。
【図１０】図６のステップＳ５５における方向判別処理を説明するフローチャートである。
【図１１】図９のステップＳ８１におけるmax_dir方向選択処理を説明するフローチャートである。
【図１２】図９のステップＳ８２におけるleft_dir方向選択処理を説明する図である。
【図１３】図９のステップＳ８３におけるright_dir方向選択処理を説明する図である。
【図１４】図６のステップＳ５５におけるエッジ方向判別処理を説明する図である。
【図１５】図６のステップＳ６２における傾き選択処理の注目領域を説明する図である。
【図１６】図６のステップＳ６２における傾き選択処理を説明するフローチャートである。
【図１７】図６のステップＳ６２における傾き選択処理の時の方向と信頼度の例を説明する図である。
【図１８】図６のステップＳ６２における傾き選択処理の時の定義されるエッジの方向を説明する図である。
【図１９】図６のステップＳ６２における傾き選択処理の時の分布と方向性分布を説明する図である。
【図２０】エッジ方向の計算方法のその他の方法を説明する図である。
【図２１】エッジ方向の計算方法のその他の方法を説明する図である。
【図２２】エッジ方向の計算方法のその他の方法を説明する図である。
【図２３】エッジ方向の計算方法のその他の方法を説明する図である。
【図２４】エッジ方向の計算方法のその他の方法を説明する図である。
【図２５】エッジ方向の計算方法のその他の方法を説明する図である。
【図２６】エッジ方向の計算方法のその他の方法を説明する図である。
【図２７】図５のステップＳ２２における１次元垂直イメージリフレッシュ処理を説明するフローチャートである。
【図２８】図５のステップＳ２２における１次元垂直イメージリフレッシュ処理お注目領域を説明する図である。
【図２９】図５のステップＳ２２における１次元垂直イメージリフレッシュ処理を説明する図である。
【図３０】図５のステップＳ２２における１次元垂直イメージリフレッシュ処理を説明する図である。
【図３１】図５のステップＳ２２における１次元垂直イメージリフレッシュ処理を説明する図である。
【図３２】従来手法によりズームされた画像例を示す図である。
【図３３】本発明を適用した手法によりズームされた画像例を示す図である。
【図３４】記録媒体を説明する図である。
【手続補正６１】
【補正対象書類名】図面
【補正対象項目名】図１１
【補正方法】変更
【補正の内容】
【図１１】
2006155179.tif 000001
【手続補正６２】
【補正対象書類名】図面
【補正対象項目名】図１４
【補正方法】変更
【補正の内容】
【図１４】
2006155179.tif 000002